(57)【要約】【課題】電子回路部を有する記憶媒体がシステムの心臓部となり本体側を周辺機器とすることにより、記憶媒体の所有者が必要とするシステムを任意に構築できる記憶媒体及び該記憶媒体を有するコンピュータシステム、例えばパソコン、カーナビゲーション、多機能テレビジョン等を提供する。【解決手段】情報を記憶するディスク部３と情報を処理する電子回路部２とを有するインテリジェント・ディスク１であって、前記ディスク部３には少なくとも外部装置１０を周辺機器として制御するためのプログラムが記憶され、前記電子回路部２は外部装置１０に適合するプログラムを読み出して実行して当該外部装置１０を周辺機器として制御する。【選択図】    図１
2004199708.tif 000002
【特許請求の範囲】
【請求項１】
着脱可能なディスクとして使用される記憶媒体であって、
前記記憶媒体が、情報を記憶する情報記憶部と情報を処理する電子回路部とを有し、
前記情報記憶部は、外部装置を制御する複数のプログラムを記憶し、
前記電子回路部は、前記外部装置の特性を判定する判定機能と、前記複数のプログラムから前記判定手段の判定結果に対応した最適なプログラムを選択して、前記外部装置にそのロードを指示する指示機能とを有することを特徴とする記憶媒体。
【請求項２】
前記情報記憶部には更に前記プログラムに使用されるデータを記憶することを特徴とする請求項１に記載の記憶媒体。
【請求項３】
前記情報記憶部は、前記複数のプログラムでそれぞれ使用される複数のプログラムとデータを、前記プログラム及び／又はデータが他のプログラム及び／又はデータから隔離されて記憶されていて、他のプログラム及び／又はデータの秘密を保護して破壊しないように、記憶することを特徴とする請求項１又は２に記載の記億媒体。
【請求項４】
前記電子回路部は、ホストコンピュータと無線通信を行う通信手段と、所望のプログラムあるいはデータが前記情報記憶部に無い場合に、該所望のプログラムあるいはデータを前記通信手段を介して前記ホストコンピュータからダウンロードするロード手段とを更に備えることを特徴とする請求項１に記載の記憶媒体。
【請求項５】
前記外部装置はパーソナルコンピュータを構成する入出力装置であり、前記プログラムはシステムプログラム及び／又はアプリケーションプログラムを含むことを特徴とする請求項１に記載の記憶媒体。
【請求項６】
着脱可能なディスクとして使用される記憶媒体を含むコンピュータシステムであって、
前記記憶媒体が、情報を記憶する情報記憶部と情報を処理する電子回路部とを有し、
前記情報記憶部は、外部装置を制御する複数のプログラムを記憶し、
前記電子回路部は、前記外部装置の特性を判定する判定機能と、前記複数のプログラムから前記判定手段の判定結果に対応した最適なプログラムを選択して、前記外部装置にそのロードを指示する指示機能とを有することを特徴とするコンピュータシステム。
【請求項７】
前記情報記憶部には更に前記プログラムで使用されるデータを記憶することを特徴とする請求項６に記載のコンピユータシステム。
【請求項８】
前記情報記憶部は、前記複数のプログラムでそれぞれ使用される複数のプログラムとデータを、前記プログラム及び／又はデータが他のプログラム及び／又はデータから隔離されて記憶されていて、他のプログラム及び／又はデータの秘密を保護して破壊しないように、記憶することを特徴とする請求項６に記載のコンピュータシステム。
【請求項９】
前記電子回路部は、ホストコンピュータと無線通信を行う通信手段と、所望のプログラムあるいはデータが前記情報記憶部に無い場合に、該所望のプログラムあるいはデータを前記通信手段を介して前記ホストコンピュータからダウンロードするロード手段とを更に備えることを特徴とする請求項６に記載のコンピユータシステム。
【発明の詳細な説明】
【技術分野】
【０００１】
本発明は、情報を記憶する情報記憶部と情報を処理する電子回路部とを有する記憶媒体、例えば光ディスク（以下、インテリジェント・ディスク（ＩＤ）と呼ぶ）等に関し、特に、上記記憶媒体を心臓部とするコンピュータシステムに関するものである。
【背景技術】
【０００２】
従来から、メモリやＣＰＵ等をカートリッジ上に搭載したディスクや磁気ストライプの記憶とメモリやＣＰＵからなるプロセッサを有するＩＣカードなどは提案されている。しかしながら、これらのインテリジェントを持った記憶媒体は、コンピュータシステムの補助用、又は情報運搬用に使用されており、最近においてもコンピュータシステムの一周辺機器の域を出ていない。
【発明の開示】
【発明が解決しようとする課題】
【０００３】
本発明は、前記従来の欠点を除去し、電子回路部を有する記憶媒体がシステムの心臓部となり本体側を周辺機器とすることにより、記憶媒体の所有者が必要とするシステムを任意に構築できる記憶媒体及び該記憶媒体を有するコンピュータシステム、例えばパソコン、カーナビゲーション、多機能テレビジョン等を提供する。
【課題を解決するための手段】
【０００４】
この課題を解決するために、本発明の記憶媒体及びコンピュータシステムは、次のような特徴的な構成を採用している。
【０００５】
（１）着脱可能なディスクとして使用される記憶媒体であって、
前記記憶媒体が、情報を記憶する情報記憶部と情報を処理する電子回路部とを有し、
前記情報記憶部は、外部装置を制御する複数のプログラムを記憶し、
前記電子回路部は、前記外部装置の特性を判定する判定機能と、前記複数のプログラムから前記判定手段の判定結果に対応した最適なプログラムを選択して、前記外部装置にそのロードを指示する指示機能とを有する記憶媒体。
【０００６】
（２）前記情報記憶部には更に前記プログラムに使用されるデータを記憶する上記（１）の記憶媒体。
【０００７】
（３）前記情報記憶部は、前記複数のプログラムでそれぞれ使用される複数のプログラムとデータを、前記プログラム及び／又はデータが他のプログラム及び／又はデータから隔離されて記憶されていて、他のプログラム及び／又はデータの秘密を保護して破壊しないように、記憶する上記（１）又は（２）の記億媒体。
【０００８】
（４））前記電子回路部は、ホストコンピュータと無線通信を行う通信手段と、所望のプログラムあるいはデータが前記情報記憶部に無い場合に、該所望のプログラムあるいはデータを前記通信手段を介して前記ホストコンピュータからダウンロードするロード手段とを更に備える上記（１）の記憶媒体。
【０００９】
（５）前記外部装置はパーソナルコンピュータを構成する入出力装置であり、前記プログラムはシステムプログラム及び／又はアプリケーションプログラムを含む上記（１）の記憶媒体。
【００１０】
（６）着脱可能なディスクとして使用される記憶媒体を含むコンピュータシステムであって、
前記記憶媒体が、情報を記憶する情報記憶部と情報を処理する電子回路部とを有し、
前記情報記憶部は、外部装置を制御する複数のプログラムを記憶し、
前記電子回路部は、前記外部装置の特性を判定する判定機能と、前記複数のプログラムから前記判定手段の判定結果に対応した最適なプログラムを選択して、前記外部装置にそのロードを指示する指示機能とを有するコンピュータシステム。
【００１１】
（７）前記情報記憶部には更に前記プログラムで使用されるデータを記憶する上記（６）のコンピユータシステム。
【００１２】
（８）前記情報記憶部は、前記複数のプログラムでそれぞれ使用される複数のプログラムとデータを、前記プログラム及び／又はデータが他のプログラム及び／又はデータから隔離されて記憶されていて、他のプログラム及び／又はデータの秘密を保護して破壊しないように、記憶する上記（６）のコンピュータシステム。
【００１３】
（９）前記電子回路部は、ホストコンピュータと無線通信を行う通信手段と、所望のプログラムあるいはデータが前記情報記憶部に無い場合に、該所望のプログラムあるいはデータを前記通信手段を介して前記ホストコンピュータからダウンロードするロード手段とを更に備える上記（６）のコンピユータシステム。
【発明の効果】
【００１４】
本発明により、電子回路部を有する記憶媒体がシステムの心臓部となり本体側を周辺機器とすることにより、記憶媒体の所有者が必要とするシステムを任意に構築できる記憶媒体及び該記憶媒体を有するコンピュータシステム、例えばパソコン、カーナビゲーション、多機能テレビジョン等を提供できる。
【実施例１】
【００１５】
以下、添付図面に従って、本発明の実施例について説明する。尚、ここに挙げる例は、請求項のそれぞれに直接的に且つ明確には対応しない説明も存在するが、それぞれは本発明との関係で重要な開示を含んでいる。
【００１６】
＜ＩＤの構成例＞
図１は、本発明の実施例で使用されるＩＤの一種であるインテリジェント・光ディスクの外観図である。
【００１７】
ＩＤ１は、情報を記憶するディスク面であるディスク部３と、例えば図１のように、その中央部に搭載されたインテリジェント回路部２とから成る。ここで、図１では回路部２をディスクの中央部に配置したが、ディスクの片面を専有したり、複数層にディスクを製造してその中の層に配置したり等、その配置には特に限定はない。
【００１８】
図２はＩＤ１の構成の概念を示した図である。図中、前記インテリジェント回路部２は、固定情報を記憶するＲＯＭ２２と、必要であれば更に一時記憶としてのＲＡＭ２３と、ＲＯＭ２２やＲＡＭ２３に格納されたプログラムを実行するＣＰＵ２１とを含んでいる。２６はＩＤ側が独立して電源を持つ場合に必要な光電池である。
【００１９】
インテリジェント回路部２は、システムインタフェース２４を介して、外部装置と情報のやり取りをする。インタフェースの接点は、接触型でも非接触型であってもよく、またバス結合であっても通信結合であってもよい。通信としては、電波通信や光通信等が考えられる。更に、本実施例のＩＤは無線通信部２５を有しており、外部への情報の伝達が必要な場合、あるいは外部からのデータやプログラムのロードが必要な場合等に、オートコールを行う機能も有している。
【００２０】
又、システムインタフェース２４が破線で示されているのは、特に、本ＩＤをパソコンに使用する場合等には、ＩＤとシステムとの結合はバス結合の方がデータの転送速度や信頼性の面から好ましく、この場合はシステムインタフェース２４は省くことができることを示すものである。
【００２１】
＜パソコンシステムを構築するＩＤの例＞
図３は、本発明におけるＩＤをパソコンシステムの構築に使用する場合の構成例を示す図である。
【００２２】
図３で、１０はパーソナル・コンピュータ・キットと呼ばれるもので、バス結合された周辺機器のみからなるものである。この中で、実線で示すものは最少の必須の要素であり、破線で示すものは必須ではない付加的要素である。必須の要素としては、本例のＩＤのディスク部３からのデータの読み出し（書き込み）を実行するピックアップや該ピックアップの駆動回路等を含む光ディスクドライブユニット１１と、現在のシステムの情況あるいは情報を表示する表示部１３（ＬＣＤが好ましい）と、ユーザの指示を入力するキーボード１４（これは表示部１３上のタッチパネルに置き代えられる）と、同様にユーザの指示を入力するマウス１５（携帯用パソコンにおいては省く）等がある。
【００２３】
必須でない要素としては、プログラムやデータの転送中に一時的に記憶するバッファメモリ１６（ＲＡＭでもハードディスクでも良い）と、転送を独立に高速で行うためのダイレクトメモリアクセス・コントローラ（ＤＭＡＣ）１８とハードコピー出力用のプリンタ１７と、ＩＤの説明でも述べたバス結合の場合のＩＤインタフェース１２とである。
【００２４】
尚、上記説明では、一応パソコンとして使用できるためのセットとして説明したが、例えば、表示部１の表示のみ、プリンタ７からのプリント出力のみ、ハードディスク１６への情報の保存のみ、などの専用機器を考えてもよい。しかし、この場合にも光ディスクドライブユニット１１は常に必須要素である。この場合、従来機器を改良する場合には、ＩＤインタフェース１２とシステムインタフェース２４とを介してシステム側とＩＤ側とのマッチングを取るようにする必要があるが、将来的にはインタフェース（バス結合の場合も）は標準化してどのシステムとどのＩＤもが容易に結合できるのが好ましい。
【００２５】
尚、図３にはシステム側が周辺機器のみの例を示したが、システム例が従来のパソコンの１つであっても、本発明の適用が可能であり、このことは以下の図５の手順の説明から明らかになる。図４は、通常のパソコンとして構成する場合のＩＤのディスク部３に記憶される情報の構成例である。
【００２６】
ディレクトリ３ａでポイントされる各位置には、複数のＯＳ（ＯＳ１，ＯＳ２...）３ｂと、複数のアプリケーション（アプリ１，アプリ２...）３ｃと、データ３ｄとが記憶されている。尚、ＯＳやアプリケーションは１つであっても良いが、本発明のＩＤを有効に使用するためには複数格納されていて、ユーザにより選択使用できるのが好ましい。
【００２７】
図５は本パソコンシステムの動作手順の一例を示す図である。本例は、システム側が標準化される迄のＯＳがシステム側の構造に依存する過渡的な形態である。まず、ＩＤ１の回路部２は、ステップＳ５１でＩＤ１がドライブに挿入されたかをチェックする。ドライブに挿入されるとステップＳ５２に進んで、システム側の機種等をチェックする。ここでは、システム例は、周辺機器のみの場合も従来のパソコンの１つの場合であっても良く、周辺機器のみの場合はＩＤ１のＣＰＵ２１がそれぞれの周辺機器の特性や能力等をチェックするし、パソコンであれば、どこのメーカの何型であるかや、そのバージョン等をチェックする。
【００２８】
ステップＳ５２で相手機種等が判明すると、ステップＳ５３で相手機種に対応した最適のＯＳを選択して、光ディスクドライブユニット１１にそのロードを指示する。選択されたＯＳは、例えばＤＭＡによりバッファメモリ１６であるハードディスクにロードされる。ＩＤ１の回路部２は、ステップＳ５４でＯＳのロードの終了を待ち、ロードが終了すれば、ステップＳ５５でＯＳを起動させる。
【００２９】
以降は、ＣＰＵ２１が制御するパソコンシステムとしての動作が実現する。図６は、パソコンシステムの動作手順の他の例を示す図である。本例は、システム側が標準化されてユーザの望むシステムとして立ち上げが可能となった場合の例である。まず、ステップＳ６１で、ＩＤ１の回路部２はドライブに挿入されたかをチェックし、挿入されたと判断するとステップＳ６２に進んで、現存する種々のＯＳの選択画面を表示するよう表示部１３に指示を出す。ユーザによる所望のＯＳの選択指示に対応して、ステップＳ６３を抜けて、ステップＳ６４でユーザの選択したＯＳがディスク部３上に存在するか否かをチェックする。存在する場合は、ステップＳ６５で選択されたＯＳのロードを光ディスクドライブユニット１１に指示する。ディスク部３から読み出されたＯＳはＤＭＡでバッファメモリ１６（ハードディスク）にロードされる。一方、ディスク部３に選択されたＯＳが存在していない場合は、ステップＳ６６に進んで無線通信部２５により外部ホストと接続して、所望のＯＳをダウンロードする。
【００３０】
ステップＳ６７でロード終了を待ち、ロードが完了するとステップＳ６８でＯＳをスタートさせる。この場合にプログラムの格納場所は、バッファメモリ１６を使ってもよいし、ＩＤのＲＡＭ２３を使用してもよい。
【００３１】
＜カーナビゲーションシステムを構築するＩＤの例＞
図７は、本発明におけるＩＤをカーナビゲーションシステムに使用した場合の構成例を示す図である。
【００３２】
図中、カーナビゲーションのシステム例では、光ディスクドライブユニット３１、表示部３３、タッチパネル３４の他に、音声出力用のスピーカ３５と音声入力用のマイク３６が内蔵されている。本例においても、ＩＤインタフェース３２とバッファメモリ３７は必須ではない。図８にカーナビゲーションシステムでのＩＤのディスク部３に格納されるデータの例を示す。
【００３３】
ディレクトリのポイント先に、それぞれＯＳ、アプリケーション、地図データとが格納されている。アプリケーションとしては、ズーム処理や、最終経路探索処理や予測時刻算出処理等が含まれる。又、行楽地の情報、天気予報などのキャッチプログラムが含まれても良い。尚、本例にはＯＳは１つとしたが、複数のシステムに対応出来るように複数のＯＳを備えていてもよい。一方、図示はしないが、ＩＤ１の回路部２には、無線通信部２５のＡＣＵが使用する電話番号のテーブルが格納されている。
【００３４】
図９はＩＤを含むカーナビゲーションシステムの動作例を示す図である。まず、ステップＳ９１でＩＤ１の回路部２はＩＤがドライブに挿入されたか否かをチェックする。挿入されるとステップＳ９２に進んで、ＯＳ及びプログラムのロードを指示する。ここでは詳細に示していないが、実際には初期の選択表示の後に、アプリケーションの選択等が、例えば前述の図６のステップＳ６２〜Ｓ６３のように実行される。
【００３５】
光ディスクドライブユニット３１は指示に従って、ディスク部３からＤＭＡで選択されたプログラムをバッファメモリ３７にロードし、ステップＳ９３で回路部２はこれを実行する。ステップＳ９４では、例えば地域選択が行われる。この地域選択は、例えばマイク３６を通して音声で地域や目的地等を伝えると、音声認識をしてその内容を回路部２に伝える。ステップＳ９５に進んで選択された地図がディスク部３上にあるか否かがチェックされ、あればステップＳ９６で新たな地図データのロードを光ディスクドライブユニット３１に指示し、バッファメモリ３７に読み出してくる。
【００３６】
一方、ディスク上に無い場合は、ステップＳ９７に進んで、ＩＤの無線通信部２５によりホストに自動に電話発呼を行い、ロードが可能であれば、ホストからバッファメモリ３７にダウンロードする。ダウンロードが不可能の場合は運転者に報知する。尚、この自動電話発呼は運転に必要な各種電話番号をテーブルとして記憶しておくことで、前述の交通情報や天気予報等の情報のキャッチにも、運転者の指示、あるいは定期的に、あるいは外部からの割り込み等によって使用できる。本例では詳細に説明しないが、交通情報や天気予報等の情報の外にコマーシャル等の商業情報の表示を行っても良い。
【００３７】
地図データがロードされると、ステップＳ９９でバッファメモリ３７上のＯＳ，アプリケーション，プログラム，地図データを使って、ナビ情報が表示部３３及び／又はスピーカ３５により出力される。尚、地図データの更新は運転者の指示、あるいは自動車の位置の移動につれて行われる。
【００３８】
＜自動販売・決済システムを構築するＩＤの例＞
図１０は、本発明におけるＩＤを使用した自動販売・決済システムの一構成例を示す図である。本例では１枚のＩＤで全ての機能を果たすような例を説明するが、商品販売用の廉価なＩＤカードと決済用の個人所有のＩＤカードとを分離することも出来る。又、本システムでは、テレビジョンを使用した例を示すが、ＩＤドライブユニットとＬＣＤ表示部とキーボード（あるいはタッチパネル）とからなる携帯電話兼用ＩＤ機器で実現されてもよい。
【００３９】
図１０で、テレビ４２はＩＤの表示部として使用され、リモートコントロール４３によりテレビ画面上での選択と指示が行われる。図１１は、本システムにおけるＩＤディスク部３に格納されるデータの構成例を示す図である。ディレクトリにポイントされる位置に、ＯＳ，アプリケーション，商品カタログデータが記憶されている。商品カタログデータにはそれぞれの商品入力への発注電話番号等も格納されている。更に、靴や服のサイズ等の発注に必要な個人情報も格納されていてよい。アプリケーションとしては、例えばテレビ画面上にカタログを出力するカタログ出力処理、ユーザの選択した商品を自動的にメーカに発注し、その発注報告をクレジット会社に行うための商品発注処理、本ＩＤをクレジットカードとして使用するための自動決済処理、更に、本ＩＤを電子マネー用の電子サイフとして使用するための電子サイフ処理等が考えられる。
【００４０】
尚、これらの複数のアプリケーションを１つのＩＤに載せる場合には、カタログ出力処理及び商品発注処理と、自動決済処理、電子サイフ処理はそれぞれ独立させて機密を守る必要があり、他の処理とは完全に隔離される。同様にそれぞれが使用するデータにおいても、共用部分と完全に隔離された個別部分とが共存するように管理される。前述のシステムでは、特に説明しなかったが、図３のシステムにおいても複数のＯＳ間では、互いのプログラムやデータをこわすことがないよう、同様の管理が必要である。これは、デジタル署名や暗証番号技術を利用して実現される。
【００４１】
図１２は、本システムで商品を発注してから支配を済ませるまでの一連の手続例の概略を示した図である。まず、ＩＤカードを挿入したユーザＩＤ機器では、ディスク部３に格納された商品カタログが表示されて、ユーザが所望の商品を選択すると、ＩＤカードの回路部は、無線通信部２５を使って、商品のメーカにオートコールを行い、発注をする（丸囲数字１）。発注が受領されると、ＩＤカードは使用するクレジット会社にオートコールを行い、発注済みの報告を行う（丸囲数字２）。メーカでは、発注された商品を発送すると（丸囲数字３）、クレジット会社に商品発送報告がなされ（丸囲数字４）、これを受けてクレジット会社からメーカへの送金が行われる（丸囲数字５）。クレジット会社は、メーカヘの送金と共にユーザに対して支配請求を行う（丸囲数字６）。支配請求を受けたユーザは、ＩＣカードの自動決済機能あるいは電子サイフ機能により、クレジット会社の口座へ振り込みを行うと（丸囲数字７）、銀行がクレジット会社に支配済報告を行って（丸囲数字８）、一連の販売・決済処理が終了する。
【００４２】
図１３はこの一連の処理の中で、特に発注の処理の動作手順例を示した図である。まずステップＳ１３１でＩＤ１のドライブへの挿入をチェックし、挿入されるとステップＳ１３２でディスク部３よりのＯＳ及び所望のアプリケーションのロードを指示する。尚、アプリケーションの選択は、前述の図６のステップＳ６２，Ｓ６３のように実現される。
【００４３】
光ディスクドライブユニット４１は指示されたプログラムとカタログデータをＴＶ側のバッファメモリ４５あるいはＩＤ１のＲＡＭ２３に転送する。ＩＤ１の回路部２は、ステップＳ１３４でテレビ４２に対してカタログの表示を指示する。表示の前に表示カタログの選択等の処理があるが、ここでは説明は省略する。ステップＳ１３５で、ユーザのリモコン４３により商品選択を待って、選択されると、ステップＳ１３６で無線通信部２５に対応するメーカの電話番号を送ってオートコールを行い、選択された商品の自動発注を行う。発注が受理されると、ステップＳ１３７から１３８に進んで、テレビ４２に発注ＯＫを表示すると共に、ディスク部３或はＲＡＭ２３上に発注済を記録する。ステップＳ１３９，Ｓ１４０では、使用するクレジット会社への自動コールと発注報告を行う。
【００４４】
一方、発注が受理されない場合は、ステップＳ１４１に進んで、発注不可を表示する。本システムと類似の他の例としては、番組録画の自動予約システムが考えられる。この場合には、図３で商品カタログデータの代りに一週間分等の番組データが記憶され、アプリケーションとしては番組表示処理，番組録画予約処理，録画管理処理等が記憶される。
【００４５】
以上のようなＩＤにより、コンピュータ業界はＣＰＵとＯＳの寡占支配から開放され、それぞれのソフトに最も適したＣＰＵを内蔵したＩＤがソフトメーカから売り出されることになる。また、ハードメーカにとっても、ＣＰＵの頻繁な改良に伴い年間３〜４回もモデルチェンジを強いられ、利益を生まない事業になっている現状から脱出できることになる。
【００４６】
ユーザにとっても、ＩＤは利便性を大いに向上させる。例えば、既存のソフトはＣＤ−ＲＯＭ等から一旦ハードディスクにコピーしなければ使い勝手が悪いことから、ハードディスクの容量がすぐに満杯になり、ハードディスクの増設やコンピュータ自体を買い換えなければならなかったが、ＩＤであればその必要はなくなる上に、取り付けや取り外しに伴うトラブルも回避できる。
【００４７】
すなわち、ＩＤによれば、ＣＰＵの改良といった仕様の変化等に柔軟に対応が可能になると共に、ＯＳやフォーマットの違いによるハードの互換性の不備といったユーザの利便性を著しく損ねるような事態を回避することができる。ＩＤを用いることにより、従来コンピュータそのものと見なされたハードが単あるマン・マシン・インタフェース（いわばディスプレイとキーボード等を組み合わせたもの）に過ぎない存在になり、ＴＶやＶＴＲのような家電即ち耐久消費財とし位置づけられることになり、ユーザにとっての利便性が大幅に向上すると共にメーカーにとってもデザインや機能面で工夫を凝らす方向で付加価値を高めることになる。
【００４８】
更に、現在コンピュータの廃棄物処理が社会的問題となりつつあるが、これは、平均３ヶ月で陳腐化するコンピュータ業界の異常なまでのモデルチェンジによってもたらされた問題でもあり、ＩＤはその原因を取り除き、寡占支配からコンピュータ業界を解放し、ユーザの利便性を大いに高めるものである。尚、本実施例では説明されなかったが、ゲーム専用ＣＰＵと各種ゲームソフトを組み合わせたＩＤ−ＧＡＭＥも可能である。
【００４９】
本発明におけるＩＤは、多機能のＩＤカードとして種々の機能を複合することで、更に有益な記憶媒体となる。
【図面の簡単な説明】
【００５０】
【図１】本発明で使用されるインテリジェント・ディスクの外観図である。
【図２】本発明で使用されるインテリジェント・ディスクの構成例を示す図である。
【図３】本発明の実施例によるパーソナルコンピュータ・システムの構成例を示す図である。
【図４】図３のシステムにおけるＩＤのディスク部に記憶される内容例を示す図である。
【図５】図３のシステムにおける動作手順の一例を示す図である。
【図６】図３のシステムにおける動作手順の他例を示す図である。
【図７】本発明の応用例としてのカーナビゲーション・システムの構成例を示す図である。
【図８】図７のシステムにおけるＩＤのディスク部に記憶される内容例を示す図である。
【図９】図７のシステムにおける動作手順の一例を示す図である。
【図１０】本発明の応用例としての自動販売・決済システムの構成例を示す図である。
【図１１】図１０のシステムにおけるＩＤのディスク部に記憶される内容例を示す図である。
【図１２】図１０のシステムにおける自動販売・決済手順の一例を示す図である。
【図１３】図１０のシステムにおける動作手順の一例を示す図である。
【図１】
2004199708.tif 000003
【図２】
2004199708.tif 000004
【図３】
2004199708.tif 000005
【図４】
2004199708.tif 000006
【図５】
2004199708.tif 000007
【図６】
2004199708.tif 000008
【図７】
2004199708.tif 000009
【図８】
2004199708.tif 000010
【図９】
2004199708.tif 000011
【図１０】
2004199708.tif 000012
【図１１】
2004199708.tif 000013
【図１２】
2004199708.tif 000014
【図１３】
2004199708.tif 000015